【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
名刺データ交換装置と、複数の携帯端末とを有する名刺データ交換システムであって、
前記名刺データ交換装置は、
前記携帯端末を使用する各ユーザのプロフィールを記憶するユーザ情報記憶手段と、
前記ユーザ情報記憶手段に記憶されたプロフィールに基づいて、名刺データを生成する生成手段と、
前記携帯端末からの要求を受け付けて、当該携帯端末から他の携帯端末に送信するための自名刺データまたは自名刺データのアドレスを要求元の携帯端末に送信する送信手段と、を有し、
前記生成手段は、前記ユーザ情報記憶手段に記憶されたプロフィールが変更された場合、前記変更後のプロフィールに基づいて名刺データを再生成し、
前記携帯端末は、
前記名刺データ交換装置から受信した前記自名刺データまたは前記自名刺データのアドレスを、他の携帯端末に送信すること
を特徴とする名刺データ交換システム。
【請求項２】
請求項１記載の名刺データ交換システムであって、
前記ユーザ情報記憶手段の前記プロフィールを構成する各構成情報には、公開レベル毎に公開するか否の公開情報が設定され、
前記生成手段は、前記公開レベル毎に、前記プロフィールの中から公開する設定がなされた構成情報を抽出して、名刺データを生成し、
前記送信手段は、前記携帯端末から指定された公開レベルの自名刺データまたは自名刺データのアドレスを要求元の携帯端末に送信すること
を特徴とする名刺データ交換システム。
【請求項３】
請求項１または請求項２に記載の名刺データ交換システムであって、
前記ユーザ情報記憶手段には、ユーザ毎に、当該ユーザのプロフィールと、他ユーザの他名刺データのアドレスが設定される名刺帳とが記憶され、
前記送信手段は、前記携帯端末から前記名刺帳に設定された他名刺データのアドレスを受信すると、当該アドレスに対応する他ユーザの他名刺データを要求元の携帯端末に送信すること
を特徴とする名刺データ交換システム。
【請求項４】
請求項３に記載の名刺データ交換システムであって、
携帯端末から送信されたアドレス帳を前記ユーザ情報記憶手段に記憶し、所定の項目が一致する当該アドレス帳のデータと、前記ユーザ情報記憶手段に記憶された名刺帳の名刺データとを関係付ける関係付け手段と、をさらに有すること
を特徴とする名刺データ交換システム。
【請求項５】
請求項１から請求項４のいずれか一項に記載の名刺データ交換システムであって、
前記携帯端末は、
前記自名刺データをＲＦＩＤ通信で送信すること、前記自名刺データのアドレスをメールで送信すること、または、前記自名刺データのアドレスのＱＲコードを提示することのいずれかで、前記自名刺データまたは前記自名刺データのアドレスを他の携帯端末に送信すること
を特徴とする名刺データ交換システム。
【請求項６】
複数の携帯端末間で名刺データを交換する名刺データ交換装置であって、
前記携帯端末を使用する各ユーザのプロフィールを記憶するユーザ情報記憶手段と、
前記ユーザ情報記憶手段に記憶されたプロフィールに基づいて、名刺データを生成する生成手段と、
前記携帯端末からの要求を受け付けて、当該携帯端末から他の携帯端末に送信するための自名刺データまたは自名刺データのアドレスを要求元の携帯端末に送信する送信手段と、を有し、
前記生成手段は、前記ユーザ情報記憶手段に記憶されたプロフィールが変更された場合、前記変更後のプロフィールに基づいて名刺データを再生成すること
を特徴とする名刺データ交換装置。
【請求項７】
請求項６記載の名刺データ交換装置であって、
前記ユーザ情報記憶手段の前記プロフィールを構成する各構成情報には、公開レベル毎に公開するか否の公開情報が設定され、
前記生成手段は、前記公開レベル毎に、前記プロフィールの中から公開する設定がなされた構成情報を抽出して、名刺データを生成し、
前記送信手段は、前記携帯端末から指定された公開レベルの自名刺データまたは自名刺データのアドレスを要求元の携帯端末に送信すること
を特徴とする名刺データ交換装置。
【請求項８】
請求項６または請求項７に記載の名刺データ交換装置であって、
前記ユーザ情報記憶手段には、ユーザ毎に、当該ユーザのプロフィールと、他ユーザの他名刺データのアドレスが設定される名刺帳とが記憶され、
前記送信手段は、前記携帯端末から前記名刺帳に設定された他名刺データのアドレスを受信すると、当該アドレスに対応する他ユーザの他名刺データを要求元の携帯端末に送信すること
を特徴とする名刺データ交換装置。
【請求項９】
請求項８に記載の名刺データ交換装置であって、
携帯端末から送信されたアドレス帳を前記ユーザ情報記憶手段に記憶し、所定の項目が一致する当該アドレス帳のデータと、前記ユーザ情報記憶手段に記憶された名刺帳の名刺データとを関係付ける関係付け手段と、をさらに有すること
を特徴とする名刺データ交換装置。
【請求項１０】
名刺データ交換装置と、複数の携帯端末とを有する名刺データ交換システムが行う名刺交換方法であって、
前記名刺データ交換装置は、
前記携帯端末を使用する各ユーザのプロフィールを記憶するユーザ情報記憶部を有し、
前記ユーザ情報記憶部に記憶されたプロフィールに基づいて、名刺データを生成する生成ステップと、
前記携帯端末からの要求を受け付けて、当該携帯端末から他の携帯端末に送信するための自名刺データまたは自名刺データのアドレスを要求元の携帯端末に送信する送信ステップと、
前記ユーザ情報記憶部に記憶されたプロフィールが変更された場合、前記変更後のプロフィールに基づいて名刺データを再生成する再生成ステップとを行い、
前記携帯端末は、
前記名刺データ交換装置から受信した前記自名刺データまたは前記自名刺データのアドレスを、他の携帯端末に送信する送信ステップを行うこと
を特徴とする名刺データ交換方法。
【手続補正２】
【補正対象書類名】明細書
【補正対象項目名】０００７
【補正方法】変更
【補正の内容】
【０００７】
上記課題を解決するために、本発明は、名刺データ交換装置と、複数の携帯端末とを有する名刺データ交換システムであって、前記名刺データ交換装置は、前記携帯端末を使用する各ユーザのプロフィールを記憶するユーザ情報記憶手段と、前記ユーザ情報記憶手段に記憶されたプロフィールに基づいて、名刺データを生成する生成手段と、前記携帯端末からの要求を受け付けて、当該携帯端末から他の携帯端末に送信するための自名刺データまたは自名刺データのアドレスを要求元の携帯端末に送信する送信手段と、を有し、前記生成手段は、前記ユーザ情報記憶手段に記憶されたプロフィールが変更された場合、前記変更後のプロフィールに基づいて名刺データを再生成し、前記携帯端末は、前記名刺データ交換装置から受信した前記自名刺データまたは前記自名刺データのアドレスを、他の携帯端末に送信する。
【手続補正３】
【補正対象書類名】明細書
【補正対象項目名】０００８
【補正方法】変更
【補正の内容】
【０００８】
また、本発明は、複数の携帯端末間で名刺データを交換する名刺データ交換装置であって、前記携帯端末を使用する各ユーザのプロフィールを記憶するユーザ情報記憶手段と、前記ユーザ情報記憶手段に記憶されたプロフィールに基づいて、名刺データを生成する生成手段と、前記携帯端末からの要求を受け付けて、当該携帯端末から他の携帯端末に送信するための自名刺データまたは自名刺データのアドレスを要求元の携帯端末に送信する送信手段と、を有し、前記生成手段は、前記ユーザ情報記憶手段に記憶されたプロフィールが変更された場合、前記変更後のプロフィールに基づいて名刺データを再生成する。
【手続補正４】
【補正対象書類名】明細書
【補正対象項目名】０００９
【補正方法】変更
【補正の内容】
【０００９】
名刺データ交換装置と、複数の携帯端末とを有する名刺データ交換システムが行う名刺交換方法であって、前記名刺データ交換装置は、前記携帯端末を使用する各ユーザのプロフィールを記憶するユーザ情報記憶部を有し、前記ユーザ情報記憶部に記憶されたプロフィールに基づいて、名刺データを生成する生成ステップと、前記携帯端末からの要求を受け付けて、当該携帯端末から他の携帯端末に送信するための自名刺データまたは自名刺データのアドレスを要求元の携帯端末に送信する送信ステップと、前記ユーザ情報記憶部に記憶されたプロフィールが変更された場合、前記変更後のプロフィールに基づいて名刺データを再生成する再生成ステップとを行い、前記携帯端末は、前記名刺データ交換装置から受信した前記自名刺データまたは前記自名刺データのアドレスを、他の携帯端末に送信する送信ステップを行う。